(57)【要約】【課題】電子部品の冷却のために外部から取り入れられる空気に含まれる埃やゴミ等を低減することが課題となっていた。【解決手段】実施形態の電子機器は、電子部品が収容された筐体の空気取り入れ部の周囲に前記筐体に対して突出して設けられる第１のリブおよび、前記第１のリブと前記空気取り入れ部間の筐体に前記筐体に対して突出して設けられる第２のリブを備える。また、前記空気取り入れ部と前記第１のリブ、前記第２のリブの周囲に設けられるフィルタ支持部を備える。また、前記フィルタ支持部に着脱自在に支持され、前記空気取り入れ部から前記筐体内部に取り入れられる空気のフィルタリングを行うフィルタを備え、前記フィルタ支持部は前記フィルタが挿入される位置に前記フィルタの挿入をガイドするガイド部が前記第１のリブに対向して設けられる。【選択図】  図８
2012064897.tif 000002
【特許請求の範囲】
【請求項１】
電子部品が収容された筐体と、
前記電子部品を冷却するために前記筐体内部に向かって空気が取り入れられる前記筐体に設けられた空気取り入れ部と、
前記筐体の前記空気取り入れ部の周囲に前記筐体に対して突出して設けられる第１のリブと、
前記第１のリブと前記空気取り入れ部間の筐体に前記筐体に対して突出して設けられる第２のリブと、
前記空気取り入れ部と前記第１のリブ、前記第２のリブの周囲に設けられるフィルタ支持部と、
前記フィルタ支持部に着脱自在に支持され、前記空気取り入れ部から前記筐体内部に取り入れられる空気のフィルタリングを行うフィルタを備え、
前記フィルタ支持部は前記フィルタが挿入される位置に前記フィルタの挿入をガイドするガイド部が前記第１のリブに対向して設けられる電子機器。
【請求項２】
前記第２のリブは前記フィルタが挿入される方向に沿うように設けられる請求項１に記載の電子機器。
【請求項３】
前記ガイド部は前記フィルタが挿入される、入り口側を広く、フィルタが挿入される方向に沿って狭くなるように構成される請求項１に記載の電子機器。
【請求項４】
前記フィルタは前記フィルタ支持部に挿入されたフィルタを引き出すための引き出し部をさらに備える請求項１に記載の電子機器。
【請求項５】
前記空気取り入れ部は前記筐体の底部に設けられる請求項１に記載の電子機器。
【請求項６】
前記第１のリブは前記筐体の側部近傍の前記筐体の底部に設けられ、前記フィルタ支持部の前記フィルタが挿入される挿入口近傍において、前記ガイド部は前記第１のリブと前記フィルタが挿入される方向に対向する面で実質的に揃う部分を構成する請求項１に記載の電子機器。
【発明の詳細な説明】
【技術分野】
【０００１】
本発明の実施形態は、筐体に収容された電子部品を冷却する電子機器に関する。
【背景技術】
【０００２】
近年、電子機器の筐体には熱を発生する電子部品が収容されており、冷却を行う必要が生じている。
電子部品の冷却には、筐体の外部から空気を取り入れ、冷却にあてる方法がある。
しかし、この外部から取り入れられた空気には埃やゴミ等が含まれ、これらの埃やゴミ等が筐体内部に取り込まれ、電子機器を誤動作させたり、火災を発生させたりする原因となる可能性があり、問題となっていた。
【先行技術文献】
【特許文献】
【０００３】
【特許文献１】特開２００１−３３２８６８号公報
【発明の概要】
【発明が解決しようとする課題】
【０００４】
電子機器内部の電子部品の冷却を行う際に、電子機器の外部から空気を取り入れ、冷却にあてる方法があるが、外部から取り入れられた空気には埃やゴミ等が含まれ、電子機器を誤動作させたり、火災を発生させたりする原因となる可能性があった。
【０００５】
そこで、電子部品の冷却のために外部から取り入れられる空気に含まれる埃やゴミ等を低減することが課題となっていた。
【課題を解決するための手段】
【０００６】
実施形態の電子機器は、電子部品が収容された筐体を備える。
また、前記電子部品を冷却するために前記筐体内部に向かって空気が取り入れられる前記筐体に設けられた空気取り入れ部を備える。
また、前記筐体の前記空気取り入れ部の周囲に前記筐体に対して突出して設けられる第１のリブを備える。
また、前記第１のリブと前記空気取り入れ部間の筐体に前記筐体に対して突出して設けられる第２のリブを備える。
また、前記空気取り入れ部と前記第１のリブ、前記第２のリブの周囲に設けられるフィルタ支持部を備える。
また、前記フィルタ支持部に着脱自在に支持され、前記空気取り入れ部から前記筐体内部に取り入れられる空気のフィルタリングを行うフィルタを備え、前記フィルタ支持部は前記フィルタが挿入される位置に前記フィルタの挿入をガイドするガイド部が前記第１のリブに対向して設けられる。
【図面の簡単な説明】
【０００７】
【図１】第１の実施形態に係る電子機器の一例であるテレビ接続機器を示す斜視図。
【図２】図１に示すテレビ接続機器の水平方向に沿った断面図。
【図３】図１に示すテレビ接続機器の内部を背面方向から示した背面図。
【図４】図１に示すテレビ接続機器の水平方向に沿った断面図であって、図２に示す断面図とは異なる高さで切断して示した断面図。
【図５】図１に示すテレビ接続機器の第２のプリント回路板を示した上面図。
【図６】図１に示すテレビ接続機器のＦ６−Ｆ６線に沿った断面図。
【図７】図１に示すテレビ接続機器の水平方向に沿った断面図であって、図２に示す断面図とは異なる高さで切断して示した断面図。
【図８】実施の形態に係る電子機器の一例であるテレビ接続機器の筐体底部の外観を示す図。
【図９】図８に示すテレビ接続機器において、フィルタ支持部およびフィルタが取り付けられる前の筐体底部の外観を示す図。
【図１０】図８に示すテレビ接続機器に取り付けられるフィルタ支持部およびフィルタの外観を示す図。
【図１１】図８に示すテレビ接続機器において、フィルタ支持部が取り付けられた筐体底部の外観を示す図。
【図１２】図８に示すテレビ接続機器において、筐体底部に取り付けられたフィルタ支持部にフィルタが挿入または取り出されるようすを示す図。
【図１３】図１２に示すテレビ接続機器の筐体底部、第１のリブ、フィルタ支持部に設けられるガイド部およびフィルタの位置関係を示すテレビ接続機器の断面構造を示す図。
【発明を実施するための形態】
【０００８】
以下に、図１から図７を参照して、電子機器の一例であるテレビ接続機器の実施形態について説明する。このテレビ接続機器は、薄型テレビ等に接続されて使用されるものであり、例えば各種のテレビ番組を受信する機能および複数のテレビ番組を同時に録画したり、長時間番組を録画したりする機能を有する。このテレビ接続機器では、地上波デジタル放送、ＢＳデジタル放送、ＣＳデジタル放送をそれぞれ受信して、これらの番組を録画することができる。
【０００９】
図１に示すように、テレビ接続機器１１は、装置の外郭をなした箱状の筐体１６を備えている。図２、図３に示すように、テレビ接続機器１１は、さらに、第１〜第３のプリント回路板１２Ａ〜Ｃと、第１および第２のヒートパイプ１３Ａ，Ｂと、第１および第２のヒートシンク１４Ａ，Ｂと、第１〜第３のプリント回路板１２Ａ〜Ｃを冷却するためのファンユニット１５と、を筐体１６の内部に備えている。また、テレビ接続機器１１は、第１および第２の補助ファンユニット５３と、映像を記憶するための記憶装置である第１および第２のハードディスクドライブ装置１７Ａ，Ｂと、認証用のカードを差し込み可能なカードホルダー１８と、複数の電源回路部品１９を実装した電源回路基板２０と、を筐体１６の内部に備えている。
【００１０】
第１のプリント回路板１２Ａは、いわゆるチューナ基板であり、第１のプリント配線板２３と、第１のプリント配線板２３の一方の面（上面）に固定された第１の発熱部品２４と、を有している。本実施形態において第１の発熱部品２４は、例えば、チューナで構成される。第１のプリント回路板１２Ａ全体の発熱量は、例えば、１５−２０Ｗ程度である。図２と図３に示すように、第１のプリント回路板１２Ａは、上方から見て、第２のヒートパイプ１３Ｂと重なる位置で、第１のヒートパイプ１３Ａから外れた位置に配置されている。
【００１１】
第２のプリント回路板１２Ｂは、第１のプリント回路板１２Ａよりも上側の位置に設けられている。第２のプリント回路板１２Ｂは、いわゆるメイン基板（セル基板）であり、テレビ接続機器１１の各部品の制御を統括している。第２のプリント回路板１２Ｂは、第１のプリント回路板１２Ａとの間に隙間を有して第１のプリント回路板１２Ａに対向している。図２、図３に示すように、第２のプリント回路板１２Ｂは、ファンユニット１５の一部に上側から重なるように配置されている。
【００１２】
図２、図３、図５に示すように、第２のプリント回路板１２Ｂは、第２のプリント配線板２６と、第２のプリント配線板２６の一方の面（下面）に固定された第２の発熱部品２７および第３の発熱部品２８と、その他の発熱部品と、を備えている。第２のプリント回路板１２Ｂは、第１のプリント回路板１２Ａおよび第３のプリント回路板１２Ｃよりも大きく形成されている。第２のプリント回路板１２Ｂは、第１のプリント回路板１２Ａおよび第３のプリント回路板１２Ｃの上部を蓋状に覆っており、第１〜第３のプリント回路板１２Ａ〜Ｃから発生した熱がファンユニット１５に積極的に向かうようになっている。
【００１３】
第２の発熱部品２７は、例えばセルプロセッサと呼ばれる回路部品で構成される。第２の発熱部品２７の発熱量は、例えば、５０Ｗ程度である。また、図３に示すように、第２の発熱部品２７は、第１の発熱部品２４から外れた位置に設けられている。
【００１４】
第３の発熱部品２８は、例えばＩ／Ｏコントローラ等の回路部品で構成される。第３の発熱部品２８の発熱量は、例えば、１５Ｗ程度である。図３に示すように、第３の発熱部品２８は、第１の発熱部品２４に重なる位置に配置されている。その他の発熱部品には、ＲＡＭ等の回路部品が含まれている。従って、第２のプリント回路板１２Ｂ全体の発熱量は、例えば、５０−１００Ｗ程度であり、第１のプリント回路板１２Ａよりも大きい発熱量を有している。
【００１５】
図２、図３に示すように、第３のプリント回路板１２Ｃは、第１のプリント回路板１２Ａよりも下側の位置に設けられている。第３のプリント回路板１２Ｃは、いわゆる画像処理基板である。第３のプリント回路板１２Ｃは、第１のプリント回路板１２Ａとの間に隙間を有して第１のプリント回路板１２Ａに対向している。第３のプリント回路板１２Ｃは、第３のプリント配線板３１と、第３のプリント回路板１２Ｃの一方の面（上面）に固定された第４の発熱部品３２と、を有している。第４の発熱部品３２は、例えば画像処理用の回路部品で構成される。第３のプリント回路板１２Ｃ全体の発熱量は、例えば、１−１０Ｗ程度であり、第１のプリント回路板１２Ａよりも小さい発熱量を有している。このため、３つのプリント回路板１２Ａ〜Ｃは、発熱量の大きい順に上側から並んでいる。
【００１６】
図２、図３、図５に示すように、第１のヒートパイプ１３Ａは、第２の発熱部品２７の冷却用に用いられる。第１のヒートパイプ１３Ａは、２本で構成されており、それぞれ外径８ｍｍのロッド状に形成されている。第１のヒートパイプ１３Ａは、例えば銅などによって形成された中空な棒状の本体の内部に、水などの作動流体を封入して形成されている。２本の第１のヒートパイプ１３Ａは、第２の発熱部品２７に熱的に接続された第１の端部３３と、第１の端部３３とは反対側に設けられた第２の端部３４と、をそれぞれ有している。第１の端部３３は、第１の受熱板３５を介して第２の発熱部品２７に熱的に接続されている。第２の端部３４は、ファンユニット１５の近傍に配置されている。
【００１７】
より具体的には、一方の第１のヒートパイプ１３Ａａの第２の端部３４は、ファンユニット１５の後述する排気口部４６の下側の半部４６Ａに対向している。また、他方の第１のヒートパイプ１３Ａｂの第２の端部３４は、ファンユニット１５の後述する排気口部４６の上側の半部４６Ｂに対向している。
【００１８】
なお、２つの第１のヒートパイプ１３Ａは、受熱部分の設置高さが放熱部分の設置高さよりも高い、いわゆるトップヒート状態で設置されている。しかしながら、２つの第１のヒートパイプ１３Ａは、トップヒート対応のヒートパイプを使用しているため、冷却性能が発揮されない事態は生じない。具体的には、第１のヒートパイプ１３Ａの内周面に設けるウィックには、銅粉末を一定の厚みで焼結して形成した多孔質層を用いた。
【００１９】
第２のヒートパイプ１３Ｂは、第３の発熱部品２８の冷却用に用いられる。第１のヒートパイプ１３Ｂは、例えば銅などによって形成された中空な棒状の本体の内部に、水などの作動流体を封入して形成されている。第２のヒートパイプ１３Ｂは、第３の発熱部品２８に熱的に接続される第３の端部３７と、第３の端部３７とは反対側に設けられる第４の端部３８と、を有している。第３の端部３７は、第２の受熱板３９を介して第２の発熱部品２７に熱的に接続されている。第４の端部３８は、ファンユニット１５の排気口部４６の近傍に配置されている。より具体的には、第４の端部３８は、ファンユニット１５の排気口部４６よりも上側に配置されている。なお、第２のヒートパイプ１３Ｂは、受熱部分の設置高さが放熱部分の設置高さが略同等に設置されており、トップヒート状態とはなっていない。このため、第２のヒートパイプ１３Ｂに用いるウィックは、第２のヒートパイプ１３Ｂの内周面に形成した複数の細溝である。
【００２０】
また、本実施形態では、第４の端部３８が排気口部４６よりも上側に配置されているが、これに限定されるものではない。第４の端部３８が排気口部４６に正対するように、排気口部４６を大きく設けても良い。
【００２１】
また、図２に示すように、ファンユニット１５と第２の発熱部品２７との間の距離は、ファンユニット１５と第３の発熱部品２８との間の距離よりも短くなっている。このため、第１のヒートパイプ１３Ａの長さは、第２のヒートパイプ１３Ｂの長さよりも短いものになっている。
【００２２】
図２、図３に示すように、第１のヒートシンク１４Ａは、第１のヒートパイプ１３Ａの第２の端部３４および第２のヒートパイプ１３Ｂの第４の端部３８に接続されて、第１のヒートパイプ１３Ａおよび第２のヒートパイプ１３Ｂの放熱を促進するものである。第１のヒートシンク１４Ａは、後述する第１のファンユニット１５の排気口部４６に対向する位置に配置されている。第１のヒートシンク１４Ａは、第２の端部３４および第４の端部３８に接続された複数のフィン４１Ａを有している。
【００２３】
ファンユニット１５は、第２のプリント回路板１２Ｂよりも下側の位置に配置されている。ファンユニット１５は、第１〜第３のプリント回路板１２Ａ〜Ｃから発生した熱を筐体１６の外部に排出することができる。図４と図６に示すように、ファンユニット１５は、ファン本体４２と、ファン本体４２の周囲を取り囲む箱状のファンケース４３と、ファン本体４２の回転を駆動するモータ４７と、を有している。ファンケース４３は、上部に設けられる第１の吸気口部４４と、下部に設けられる第２の吸気口部４５と、側部に設けられる排気口部４６と、を有している。
【００２４】
第１の吸気口部４４は、筐体１６の内部とファンケース４３の内部とを連続させている。また、第２の吸気口部４５は、筐体１６の外部とファンケース４３の内部とを連続させている。第１のファンユニット１５は、第１の吸気口部４４を介して、筐体１６の内部から空気を吸気することができる。同様に、第１のファンユニット１５は、第２の吸気口部４５を介して、筐体１６の外部から空気を吸気することができる。第１のファンユニット１５は、排気口部４６を介して、ファン本体４２からの送風を第１のヒートシンク１４Ａおよび筐体１６の外部に向けて送ることができる。
【００２５】
図６、図７に示すように、第２のヒートシンク１４Ｂは、第４の発熱部品３２と熱的に接続されている。第２のヒートシンク１４Ｂは、上方に向けて起立した複数の放熱フィン５１を有している。放熱フィン５１は、筐体１６に設けられた吸気用の開口部１６Ａと、ファンユニット１５とを結んだ方向に沿った方向に配置されている。このため、開口部１６Ａからファンユニット１５に向かう空気の流れを乱すことなく、第４の発熱部品３２の冷却が円滑になされる。
【００２６】
ここで、第１および第２のハードディスクドライブ装置１７Ａ，Ｂの冷却作用および第１から第４の発熱部品３２の冷却作用について説明する。図２に示すように、第１のハードディスク装置１７Ａおよび第２のハードディスク装置１７Ｂは、第１の補助ファンユニット５２によって筐体１６の外部から吸引した空気によって冷却される。また、第１のハードディスク装置１７Ａおよび第２のハードディスク装置１７Ｂの冷却に使用された空気は、電源回路部品１９の冷却にも用いられる。電源回路部品１９の冷却に用いられた空気は、第２の補助ファンユニット５３の作用によって筐体１６の外部に排出される。
【００２７】
図６に示すように、第１の発熱部品２４で発生した熱は、周囲を流れる空気に伝達されて、ファンユニット１５に送られる。ファンユニット１５に送られた空気は、排気口部４６を介して筐体１５の外部に排出される。
【００２８】
図３に示すように、第２の発熱部品２７で発生した熱は、第１の受熱板３５および２本の第１のヒートパイプ１３Ａを介して、第２の端部３４および第１のヒートシンク１４Ａまで運ばれる。このとき、一方の第１のヒートパイプ１３Ａの第２の端部３４は、ファンユニット１５の排気口部４６の下側の半部４６Ａに対向している。この排気口部４６の下側の半部４６Ａには、主として第２の吸気口部４５を介して筐体１６の外部から吸引された空気が送られる。このため、一方の第１のヒートパイプ１３Ａａの第２の端部３４には、温度の低い空気が送られて、第２の発熱部品２７の冷却が他の発熱部品よりも優先的になされる。また、他方の第１のヒートパイプ１３Ａｂの第２の端部３４は、ファンユニット１５の排気口部４６の上側の半部４６Ｂに対向している。この他方の第１のヒートパイプ１３Ａによっても第２の発熱部品２７の冷却がなされるため、第２の発熱部品２７の冷却はさらに促進される。
【００２９】
第３の発熱部品２８で発生した熱は、第２の受熱板３９および第２のヒートパイプ１３Ｂを介して、第４の端部３８および第１のヒートシンク１４Ａまで運ばれる。このとき、第４の端部３８および第１のヒートシンク１４Ａまで運ばれた熱は、ファンユニット１５から送られる空気に伝達されて筐体１６の外部に排出される。
【００３０】
図６と図７に示すように、第４の発熱部品３２で発生した熱は、第２のヒートシンク１４Ｂに伝達される。第２のヒートシンク１４Ｂに伝達された熱は、筐体１６の開口部１６Ａから吸引された空気に伝達され、ファンユニット１５の排気口部４６に送られてその後筐体１６の外部に排出される。第４の発熱部品３２の発熱量は小さいので、この第２のヒートシンク１４Ｂによっても第４の発熱部品３２の冷却は十分になされる。
【００３１】
第１の実施形態によれば、テレビ接続機器１１は、第１のプリント配線板２３と、これに固定される第１の発熱部品２４と、を有する第１のプリント回路板１２Ａと、第２のプリント配線板２６と、これに固定される第２の発熱部品２７および第３の発熱部品２８とを有し、第１のプリント回路板１２Ａよりも大きい発熱量を有するとともに、第１のプリント回路板１２Ａよりも上側の位置で、隙間を有して第１のプリント回路板１２Ａに対向した第２のプリント回路板１２Ｂと、第３のプリント配線板３１と、これに固定される第４の発熱部品３２とを有し、第１のプリント回路板１２Ａよりも小さい発熱量を有するとともに、第１のプリント回路板１２Ａよりも下側の位置で、隙間を有して第１のプリント回路板１２Ａに対向した第３のプリント回路板１２Ｃと、第１のプリント回路板１２Ａ、第２のプリント回路板１２Ｂ、および第３のプリント回路板１２Ｃを収容する筐体１６と、筐体１６の内部に収容されるとともに、第１のプリント回路板１２Ａ、第２のプリント回路板１２Ｂ、および第３のプリント回路板１２Ｃから発生した熱を筐体１６の外部に排出するファンユニット１５と、を具備する。
【００３２】
この構成によれば、ファンユニット１５によって第１から第４の発熱部品２４、２７、２８、３２から発生した熱を筐体１６の外部に放出できる。また、このとき、最も発熱量の大きい第２のプリント回路板１２Ｂが最上部に配置されているため、第２のプリント回路板１２Ｂから発生した熱が他のプリント回路板に悪影響を及ぼしてしまうことを防止できる。
【００３３】
この場合、第２の発熱部品２７および第３の発熱部品２８は、第２のプリント配線板２６の下面に固定されており、第２のプリント回路板１２Ｂは、ファンユニット１５の上側に重なって配置されている。この構成によれば、第２のプリント配線板２６が蓋のように作用し、第２の発熱部品２７および第３の発熱部品２８から発生した熱を、第２のプリント配線板２６の下側に配置されたファンユニット１５によって効率よく筐体１６の外部に排出できる。
【００３４】
本実施形態のテレビ接続機器１１は、第２の発熱部品２７に熱的に接続される第１の端部３３と、第１の端部３３とは反対側に設けられるとともにファンユニット１５の近傍に配置される第２の端部３４と、を有した第１のヒートパイプ１３Ａａを具備し、ファンユニット１５は、ファン本体４２と、ファン本体４２の周囲を取り囲むファンケース４３と、を備え、ファンケース４３は、上部に設けられるとともに筐体１６の内部とファンケース４３の内部とを連続させた第１の吸気口部４４と、下部に設けられるとともに筐体１６の外部とファンケース４３の内部とを連続させた第２の吸気口部４５と、側部に設けられるとともにファン本体４２からの送風を筐体１６の外部に向けて送るための排気口部４６と、を有し、第２の発熱部品２７の発熱量は、第３の発熱部品２８の発熱量よりも大きくなっており、第２の端部３４は、排気口部４６の下側の半部４６Ａに対向して配置される。
【００３５】
この構成によれば、第２の吸気口部４５を介して筐体１６の外部から吸引された空気は、主として排気口部４６の下側の半部４６Ａに向けて送られる。このため、発熱量の大きい第２の発熱部品２７に接続された第１のヒートパイプ１３Ａａの第２の端部３４を効率よく冷却して、第２の発熱部品２７の冷却を他の発熱部品よりも優先的に行うことができる。
【００３６】
また、テレビ接続機器１１は、第３の発熱部品２８に熱的に接続される第３の端部３７と、第３の端部３７とは反対側に設けられるとともにファンユニット１５の排気口部４６の近傍に配置される第４の端部３８と、を有した第２のヒートパイプ１３Ｂを具備する。これによれば、第２のヒートパイプ１３Ｂによって第３の発熱部品２８を冷却することができる。その際、第２のヒートパイプ１３Ｂの第４の端部３８は、ファンユニット１５の排気口部４６の下側の半部４６Ａに配置されるわけではないので、第３の発熱部品２８の冷却効率は、第２の発熱部品２７の冷却効率よりも劣ることになる。しかし、第３の発熱部品２８の発熱量は、第２の発熱部品２７の発熱量よりも小さいため冷却効率が劣っていても差し支えない。むしろ、第１のヒートパイプ１３Ａおよび第２のヒートパイプ１３Ｂのレイアウトを工夫することで、優先度に応じた各発熱部品の冷却を実現できる。
【００３７】
本実施形態のように、最上部にある第２のプリント回路板１２Ｂの第２の発熱部品２７と接続した第１のヒートパイプ１３Ａを、第１のプリント回路板１２Ａよりも下側にあるファンユニット１５の近傍、すなわち、排気口部４６の下側の半部４６Ａにまで引き回すようにすると、中間位置にある第１のプリント回路板１２Ａとこの第１のヒートパイプ１３Ａとが干渉する恐れがある。本実施形態では、第１のプリント回路板１２Ａは、第２のヒートパイプ１３Ｂと重なる位置で、第１のヒートパイプ１３Ａから外れた位置に配置される。これによれば、第１のヒートパイプ１３Ａと第１のプリント回路板１２Ａとが干渉してしまうことを防止できる。
【００３８】
通常、ヒートパイプの長さが短くなればなるほど、ヒートパイプの熱輸送性能は向上する。本実施形態では、ファンユニット１５と第２の発熱部品２７との距離は、ファンユニット１５と第３の発熱部品２８との距離よりも短い。このため、第１のヒートパイプ１３Ａの長さを第２のヒートパイプ１３Ｂよりも短くすることができる。これによって、第１のヒートパイプ１３Ａの熱輸送量を大きくして、第２の発熱部品２７を効率よく冷却することができる。
【００３９】
また、第３の発熱部品２８は、第１の発熱部品２４に重なる位置に設けられるとともに、第２の発熱部品２７は、第１の発熱部品２４から外れた位置に設けられる。この構成によれば、発熱量の大きい第２の発熱部品２７を第１の発熱部品２４から外れた位置に配置することができる。これによって、筐体１６の内部の一箇所に熱が集中してしまうことを防止できる。
【００４０】
テレビ接続機器１１は、筐体１６に設けられるとともに、外部から筐体１６の内部に空気を取り入れることができる開口部１６Ａと、第４の発熱部品３２の冷却を促進するための複数の放熱フィン５１を有した第２のヒートシンク１４Ｂを具備し、複数の放熱フィン５１は、開口部１６Ａとファンユニット１５とを結んだ方向に沿った方向に配置される。この構成によれば、開口部１６Ａからファンユニット１５に向けて送られる空気の流れが放熱フィン５１によって乱されることがなく、第４の発熱部品３２の冷却および第１および第２のヒートパイプ１３Ｂの冷却を円滑に行うことができる。
【００４１】
図８は、実施の形態に係る電子機器の一例であるテレビ接続機器の筐体底部の外観を示す図である。
この実施の形態においては、上記説明した電子機器の一例であるテレビ接続機器の筐体底部の構造を説明する。
符号１６は上記テレビ接続機器１１の筐体であり、ここでは筐体底部である。
符号７０は上記筐体底部１６に設けられるリブであり、ここでは第１のリブと呼ぶ。この第１のリブ７０は、金属等で構成される筐体底部１６に、例えばプレス加工等が施され、筐体内部から外部に向けてレール状の段差が突出するように形成された凸部形状の構造である。
【００４２】
この第１のリブ７０は、略四角形状である筐体底部１６の四辺に沿うように形成される。これにより、筐体底部１６の機械的強度を向上させることが可能になる。この第１のリブ７０は、この実施の形態のように閉じるように形成されると、筐体底部１６面内のどの方向に対しても機械的強度を向上させることができる。
【００４３】
また、この実施の形態においては、第２のリブ７１および第３のリブ７２（後述）が形成されている。これら、第２のリブ７１および第３のリブ７２も第１のリブ７０と同様に、金属等で構成される筐体底部１６に、例えばプレス加工等が施され、筐体内部から外部に向けてレール状の段差が突出するように形成された凸部形状である。
【００４４】
符号６０はフィルタである。フィルタ６０は、符号６１を付したフィルタリング部、符号６２を付した引き出し部を備えている。
また、符号６３はフィルタ支持部である。フィルタ支持部６３は、符号６４を付したガイド部、符号６５を付したガイド部および符号６６を付したガイド部を備えている。
【００４５】
フィルタ支持部６３は、後述する第２の吸気口部（空気取り入れ部）４５、第２のリブ７１、第３のリブ７２をカバーするように筐体底部１６に取り付けられる。
この実施の形態においては、フィルタ６０はこのフィルタ支持部６３に、符号９０を付した矢印の方向に沿って着脱自在に構成される。そして、ユーザによりフィルタ６０がフィルタ支持部６３に挿入される。また、ユーザによりフィルタ６０がフィルタ支持部６３から引き出される。
【００４６】
また、フィルタ支持部６３にフィルタ６０が装着される際は、第２の吸気口部（空気取り入れ部）４５がフィルタリング部６１により、確実にカバーされるように構成されることが望ましい。
【００４７】
そして、フィルタ６０はこのフィルタ支持部６３に、矢印９０の方向に沿って挿入あるいは引き出される。
このフィルタ６０が挿入あるいは引き出される方向に対向する筐体１６の面（側面）がこの実施形態におけるテレビ接続機器１１の正面である。
図９は、図８に示すテレビ接続機器において、フィルタ支持部およびフィルタが取り付けられる前の筐体底部の外観を示す図である。
フィルタ６０はこのフィルタ支持部６３に、矢印９０の方向に沿って挿入あるいは引き出される。
図に示すように、筐体底部１６には第２の吸気口部（空気取り入れ部）４５が設けられる。
また、上記のように、筐体底部１６には第１のリブ７０、第２のリブ７１、第３のリブ７２が設けられる。
この実施の形態においては、上記のように、この第１のリブ７０は、略四角形状である筐体底部１６の四辺に沿うように形成される。また、第１のリブ７０は第２の吸気口部（空気取り入れ部）４５を取り囲むように設けられる。
【００４８】
また、第２のリブ７１および第３のリブ７２は第１のリブ７０と第２の吸気口部（空気取り入れ部）４５の間に設けられる。
また、第２のリブ７１および第３のリブ７２は、ここでは図示しないフィルタ６０がフィルタ支持部６３に挿入あるいは引き出される方向（矢印９０）に沿って平行に、伸びるように形成される。
【００４９】
これにより、フィルタ６０がフィルタ支持部６３に挿入あるいは引き出される際に、フィルタ６０を、フィルタ６０がフィルタ支持部６３に挿入あるいは引き出される方向（矢印９０）に沿ってガイドする役割を果たす。
【００５０】
また、筐体１６内部では電子部品等から振動が発生するが、フィルタ６０は、この第２のリブ７１および第３のリブ７２を介して筐体底部１６に対向するため、筐体１６内部で発生した振動がフィルタ６０に伝達される可能性を低減することができる。
【００５１】
なお、この実施の形態においては上記第２のリブ７１および第３のリブ７２を用いて説明を行ったが、少なくとも第２のリブ７１を構成すれば、上記効果は期待できる。また、上記の他に、同様のリブを第２のリブ７１および第３のリブ７２に平行に構成することによって、さらに上記効果が期待できる。
【００５２】
図１０は、図８に示すテレビ接続機器に取り付けられるフィルタ支持部およびフィルタの外観を示す図である。
この実施の形態においては、フィルタ６０はこのフィルタ支持部６３に、矢印９０の方向に沿って挿入あるいは引き出される。
図示するように、フィルタ支持部６３はガイド部６４、ガイド部６５、ガイド部６６を備えている。
ガイド部６４はブリッジ構造となっており、第１のリブに対向して設けられる。そして、フィルタ支持部６３にフィルタ６０が挿入あるいは引き出される際に、フィルタ６０を、上記テレビ接続機器１１を通常に置いた際の下側からガイドし、支持する。また、第１のリブは、フィルタ支持部６３にフィルタ６０が挿入あるいは引き出される際に、フィルタ６０を同上側からガイドし、支持する。
【００５３】
これにより、フィルタ６０のフィルタ支持部６３への着脱を容易にする。
ガイド部６５、ガイド部６６は、上記テレビ接続機器１１を通常に置いた際の横方向に対し、いわゆるスカート形状になっている。そして、フィルタ６０が挿入される入り口側を広く、そして、フィルタ６０がフィルタ支持部６４内部に挿入される方向に沿って狭くなるように構成される。
【００５４】
これにより、フィルタ６０のフィルタ支持部６３への着脱を容易にする。
また、フィルタ６０は引き出し部６２を備えている。この引き出し部６２を備えることにより、ユーザによるフィルタ６０の引き出しを容易にする。
図１１は、図８に示すテレビ接続機器において、フィルタ支持部が取り付けられた筐体底部の外観を示す図である。
図に示すように、上記ガイド部６４、上記ガイド部６５、上記ガイド部６６を備えるフィルタ支持部６３は筐体底部１６に、第２の吸気口部（空気取り入れ部）４５および第２のリブ７１、第３のリブ７２をカバーするように取り付けられる。
【００５５】
図１２は、図８に示すテレビ接続機器において、筐体底部に取り付けられたフィルタ支持部にフィルタが挿入または取り出されるようすを示す図である。
この実施の形態においては、図に示すように、テレビ接続機器１１の筐体底部１６に取り付けられたフィルタ支持部６３に、矢印９０の方向に沿ってフィルタ６０が挿入または取り出される。
【００５６】
上記のように、フィルタ支持部６３のガイド部６４は、第１のリブに対向したブリッジ構造となっており、フィルタ支持部６３にフィルタ６０が挿入あるいは引き出される際に、フィルタ６０をテレビ接続機器１１の下側（筐体底部側）からガイドし、支持する。
【００５７】
また、第１のリブは、フィルタ支持部６３にフィルタ６０が挿入あるいは引き出される際に、フィルタ６０の上部に位置し、このフィルタ６０を上部側からガイドし、支持する。
【００５８】
また、ガイド部６５、ガイド部６６は、上記テレビ接続機器１１にフィルタ６０が挿入あるいは引き出される際の横方向に上記のようにスカート形状になっている。そして、フィルタ６０が挿入される入り口側を広く、そして、フィルタ６０がフィルタ支持部６４内部に挿入される方向に沿って狭くなるように構成され、フィルタ６０のフィルタ支持部６３への着脱を容易にする。
【００５９】
また、第２のリブ７１および第３のリブ７２は、上記のように、フィルタ６０がフィルタ支持部６３に挿入あるいは引き出される方向（矢印９０）に沿って平行に、伸びるように形成されている。
【００６０】
これにより、フィルタ６０がフィルタ支持部６３に挿入あるいは引き出される際に、フィルタ６０を、フィルタ６０がフィルタ支持部６３に挿入あるいは引き出される方向（矢印９０）に沿ってガイドする役割を果たす。
【００６１】
図１３は、図１２に示すテレビ接続機器の筐体底部、第１のリブ、フィルタ支持部に設けられるガイド部およびフィルタの位置関係を示すテレビ接続機器の断面構造を示す図である。
【００６２】
図１３（ａ）は、図１２に示す符号１００を付した破線（第２のリブ７１と重複しない位置）近傍の第１のリブ、フィルタ支持部に設けられるガイド部およびフィルタの位置関係を示している。
【００６３】
図に示すように、筐体底部１６の外側の面に第１のリブ７０が設けられ、この第１のリブ７０に対向する位置にフィルタ支持部６３に設けられるブリッジ形状のガイド部６４が設けられる。
【００６４】
また、ガイド部６４は、第１のリブ７０とフィルタ６０が挿入される方向９０に対向する面で実質的に揃っている。
そして、フィルタ支持部６３にフィルタ６０が挿入あるいは引き出される際に、フィルタ６０をテレビ接続機器１１の下側からガイドし、支持する。
また、第１のリブは、フィルタ支持部６３にフィルタ６０が挿入あるいは引き出される際に、フィルタ６０の上部に位置し、このフィルタ６０を上部側からガイドし、支持する。
【００６５】
図１３（ｂ）は、符号１０１を付した破線（第２のリブ７１と重複する位置）近傍の第１のリブ、第２のリブ、フィルタ支持部に設けられるガイド部およびフィルタの位置関係を示している。
【００６６】
図に示すように、上記に加え、筐体底部１６の外側の面に第２のリブ７１が設けられ、フィルタ支持部６３の内部にフィルタ６０が挿入されるあるいはフィルタ支持部６３の内部からフィルタ６０が引き出される際に、フィルタ６０をガイドするガイドレールの役割を果たす。
【００６７】
また、このように第２のリブ７１を構成することによって、筐体１６内部で発生した振動がフィルタ６０に伝達される可能性を低減することができる。
上記のように構成することによって、この発明の実施の形態においては、電子部品の冷却のために外部から取り入れられる空気に含まれる埃やゴミ等を低減することが可能になる。
【００６８】
なお、上記実施形態は、記述そのものに限定されるものではなく、実施段階では、その趣旨を逸脱しない範囲で、構成要素を種々変形して具体化することが可能である。
【符号の説明】
【００６９】
１１…テレビ接続機器、１２Ａ〜Ｃ…第１〜第３のプリント回路板、１３Ａ，Ｂ…第１および第２のヒートパイプ、１４Ｂ…第２のヒートシンク、１５…ファンユニット、１６…筐体、１６Ａ…開口部、２３…第１のプリント配線板、２４…第１の発熱部品、２６…第２のプリント配線板、２７…第２の発熱部品、２８…第３の発熱部品、３１…第３のプリント配線板、３２…第４の発熱部品、３３…第１の端部、３４…第２の端部、３７…第３の端部、３８…第４の端部、４２…ファン本体、４３…ファンケース、４４…第１の吸気口部、４５…第２の吸気口部（空気取り入れ部）、４６…排気口部、４６Ａ…下側の半部、４６Ｂ…上側の半部、５１…放熱フィン、６０…フィルタ、６１…フィルタリング部、６２…引き出し部、６３…フィルタ支持部、６４…ガイド部、６５…ガイド部、６６…ガイド部、７０…第１のリブ、７１…第２のリブ、７２…第３のリブ。
【図１】
2012064897.tif 000003
【図２】
2012064897.tif 000004
【図３】
2012064897.tif 000005
【図４】
2012064897.tif 000006
【図５】
2012064897.tif 000007
【図６】
2012064897.tif 000008
【図７】
2012064897.tif 000009
【図８】
2012064897.tif 000010
【図９】
2012064897.tif 000011
【図１０】
2012064897.tif 000012
【図１１】
2012064897.tif 000013
【図１２】
2012064897.tif 000014
【図１３】
2012064897.tif 000015